(57)【要約】      （修正有）【課題】噴流オリフィスにおける製品の乾燥による噴流オリフィスの閉塞を防止する手段と、およびプランジャの往復動を妨げるためにプランジャヘッドを係止する手段とを備える手動ポンプ式噴霧器を提供する。【解決手段】  プランジャヘッド１４は、ポンプ式噴霧器１０に関して往復動自在にできる。外蓋１２を、プランジャヘッド上に独自に回転自在に配設でき、また外蓋は、非使用状態において噴出オリフィスに重なる側壁３４を備えることができる。側壁は、プランジャヘッドに関して外蓋が回転すると噴出オリフィスと整合するように配設自在な開口部２０を備えることができる。容器に関してプランジャヘッドと外蓋を装着する容器閉止部１６を設けることができる。プランジャヘッドを、容器閉止部に関して軸方向に往復動自在にでき、かつそうでない場合、第１と第２の配向位置にあるときに容器閉止部に関して係止できる。【選択図】  図３
2005230800.tif 000002
【特許請求の範囲】
【請求項１】
ポンプ作動により噴霧される液体の容器に取付けられるようになっている手動ポンプ式噴霧器において、
噴出オリフィスを内蔵する側壁を有するプランジャヘッドであって、バネにより付与される所定の付勢力に抗して前記ポンプ式噴霧器のほぼ縦方向の軸に沿って往復動自在のプランジャヘッドと、
前記プランジャヘッド上に配設され、かつ前記プランジャヘッドに関して独自に回転自在である外蓋であって、非使用状態において前記噴出オリフィスに重なる側壁を有し、該側壁が、前記プランジャヘッドに関して前記外蓋が回転する際に前記噴出オリフィスと整合するように配設自在な開口部を有する外蓋と、および
前記プランジャヘッドと前記外蓋を容器へ装着する容器閉止部であって、前記プランジャヘッドが、第１の配向位置にあるときに前記容器閉止部に関して軸方向に往復動自在であり、かつ第２の配向位置にあるときに前記容器閉止部に関して軸方向に抑止される容器閉止部とから構成されることを特徴とする手動ポンプ式噴霧器。
【請求項２】
前記プランジャヘッドは、前記プランジャヘッドを前記容器閉止部に関して軸方向に往復動させるため、前記第１の配向位置にあるときに前記容器閉止部に関して移動自在な少なくとも１つの係合手段を備えることを特徴とする請求項１記載の手動ポンプ式噴霧器。
【請求項３】
前記プランジャヘッドは、前記側壁の内面に配設される少なくとも１つの隆起部を備え、前記隆起部は、前記プランジャヘッドを前記容器閉止部に関して軸方向に往復動させるため、前記第１の配向位置にあるときに前記容器閉止部上の相補的なスロット内で配設自在であることを特徴とする請求項１記載の手動ポンプ式噴霧器。
【請求項４】
前記プランジャヘッドは、前記容器閉止部に関して前記プランジャヘッドの軸方向の往復動を妨げるため、前記第２の配向位置にあるときに前記容器閉止部に関して抑止自在な少なくとも１つの係合手段を備えることを特徴とする請求項１記載の手動ポンプ式噴霧器。
【請求項５】
前記プランジャヘッドは、前記側壁の内面に配設される少なくとも１つの隆起部を備え、前記隆起部は、前記容器閉止部に関して前記プランジャヘッドの軸方向の往復動を妨げるため、前記第２の配向位置にあるときに前記容器閉止部上の回り止めに対して隣接して配設自在であることを特徴とする請求項１記載の手動ポンプ式噴霧器。
【請求項６】
前記回り止めは、前記プランジャヘッドが前記第１の配向位置から前記第２の配向位置まで回転されるときに、前記隆起部が前記上面に対して滑動し、かつ前記プランジャヘッドを前記容器閉止部から離すように軸方向に移行して前記容器閉止部に関して前記プランジャヘッドの軸方向の往復動を妨げるような傾斜した上面を備えることを特徴とする請求項５記載の手動ポンプ式噴霧器。
【請求項７】
前記容器閉止部は、凹状受け部材を備え、その部材中に前記隆起部がスナップ嵌めして、前記プランジャヘッドを前記容器閉止部に関して係止することを特徴とする請求項６記載の手動ポンプ式噴霧器。
【請求項８】
前記プランジャヘッドは、前記プランジャヘッド上に前記外蓋を装着できるように、前記外蓋上で相補的な第２の手段と係合自在な少なくとも１つの第１の手段を備えることを特徴とする請求項１記載の手動ポンプ式噴霧器。
【請求項９】
前記プランジャヘッドは、前記側壁の外面上に少なくとも１つの溝を備え、前記溝は、前記プランジャヘッド上に前記外蓋を装着できるように、前記外蓋の前記側壁の内面上で相補的な隆起部と係合自在であることを特徴とする請求項１記載の手動ポンプ式噴霧器。
【請求項１０】
前記プランジャヘッドは、前記プランジャヘッドに関して前記外蓋の回転を制限するために、前記外蓋上で相補的な第２の手段と係合自在である少なくとも１つの第１の手段を備えることを特徴とする請求項１記載の手動ポンプ式噴霧器。
【請求項１１】
前記プランジャヘッドは、前記側壁の外面上に少なくとも１つの溝を備え、前記溝は、所定の長さを有し、かつ前記プランジャヘッドに関して前記外蓋の回転を制限するために、前記外蓋の前記側壁の内面上で相補的な隆起部と係合自在であることを特徴とする請求項１記載の手動ポンプ式噴霧器。
【請求項１２】
前記プランジャヘッドと前記外蓋の一方は、前記側壁上に少なくとも１つの溝を備え、前記溝は、前記プランジャヘッド上に前記外蓋を装着できるように、前記プランジャヘッドと前記外蓋の他方の前記側壁上で相補的な隆起部と係合自在であることを特徴とする請求項１記載の手動ポンプ式噴霧器。
【請求項１３】
前記プランジャヘッドと前記外蓋の一方は、前記側壁上に少なくとも１つの溝を備え、前記溝は、所定の長さを有し、かつ前記プランジャヘッドに関して前記外蓋の回転を制限するために、前記プランジャヘッドと前記外蓋の他方の前記側壁上で相補的な隆起部と係合自在であることを特徴とする請求項１記載の手動ポンプ式噴霧器。
【請求項１４】
前記プランジャヘッドは、前記側壁の外面上に少なくとも１つの溝を備え、前記溝は、所定の長さを有し、かつ前記プランジャヘッドに関して前記外蓋の回転を制限するために、前記外蓋の前記側壁の内面上で相補的な隆起部と係合自在であり、前記溝は第１と第２の端部をさらに有し、前記隆起部が前記第１の端部に押付けられるときに前記噴出オリフィスが前記非使用状態で配設され、かつ前記隆起部が前記第２の端部に押付けられるときに前記噴出オリフィスが前記開口部と整合することを特徴とする請求項１記載の手動ポンプ式噴霧器。
【請求項１５】
手動ポンプ式噴霧器において、
噴出オリフィスを備え、かつ前記ポンプ式噴霧器に関して往復動自在であるプランジャヘッドと、
前記プランジャヘッド上に配設され、かつ前記プランジャヘッドに関して回転自在な外蓋であって、非使用状態で前記噴出オリフィスに重なり、および使用状態で前記噴出オリフィス整合するように配設自在な開口部を備える外蓋と、および
前記プランジャヘッドと前記外蓋を容器へ装着する容器閉止部であって、前記プランジャヘッドが、第１の配向位置にあるときに前記容器閉止部に関して軸方向に往復動自在であり、かつ第２の配向位置にあるときに前記容器閉止部に関して軸方向に抑止自在である容器閉止部とから構成されることを特徴とする手動ポンプ式噴霧器。
【請求項１６】
前記プランジャヘッドは、前記プランジャヘッドを前記容器閉止部に関して軸方向に往復動させるため、前記第１の配向位置にあるときに前記容器閉止部に関して移動自在な少なくとも１つの係合手段を備えることを特徴とする請求項１５記載の手動ポンプ式噴霧器。
【請求項１７】
前記プランジャヘッドは、前記側壁の内面に配設される少なくとも１つの隆起部を備え、前記隆起部は、前記プランジャヘッドを前記容器閉止部に関して軸方向に往復動させるため、前記第１の配向位置にあるときに前記容器閉止部上の相補的なスロット内で配設自在であることを特徴とする請求項１５記載の手動ポンプ式噴霧器。
【請求項１８】
前記プランジャヘッドは、前記容器閉止部に関して前記プランジャヘッドの軸方向の往復動を妨げるため、前記第２の配向位置にあるときに前記容器閉止部に関して抑止自在な少なくとも１つの係合手段を備えることを特徴とする請求項１５記載の手動ポンプ式噴霧器。
【請求項１９】
前記プランジャヘッドは、前記側壁の内面に配設される少なくとも１つの隆起部を備え、前記隆起部は、前記容器閉止部に関して前記プランジャヘッドの軸方向の往復動を妨げるため、前記第２の配向位置にあるときに前記容器閉止部上の回り止めに対して隣接して配設自在であることを特徴とする請求項１５記載の手動ポンプ式噴霧器。
【請求項２０】
前記回り止めは、前記プランジャヘッドが前記第１の配向位置から前記第２の配向位置まで回転されるときに、前記隆起部が前記上面に対して滑動し、かつ前記プランジャヘッドを前記容器閉止部から離すように軸方向に移行して前記容器閉止部に関して前記プランジャヘッドの軸方向の往復動を妨げるような傾斜した上面を備えることを特徴とする請求項１９記載の手動ポンプ式噴霧器。
【請求項２１】
前記容器閉止部は、凹状受け部材を備え、その部材中に前記隆起部がスナップ嵌めして、前記プランジャヘッドを前記容器閉止部に関して係止することを特徴とする請求項２０記載の手動ポンプ式噴霧器。
【請求項２２】
前記プランジャヘッドは、前記プランジャヘッド上に前記外蓋を装着できるように、前記外蓋上で相補的な第２の手段と共に係合自在な少なくとも１つの第１の手段を備えることを特徴とする請求項１５記載の手動ポンプ式噴霧器。
【請求項２３】
前記プランジャヘッドは、前記側壁の外面上に少なくとも１つの溝を備え、前記溝は、前記プランジャヘッド上に前記外蓋を装着できるように、前記外蓋の前記側壁の内面上で相補的な隆起部と係合自在であることを特徴とする請求項１５記載の手動ポンプ式噴霧器。
【請求項２４】
前記プランジャヘッドは、前記プランジャヘッドに関して前記外蓋の回転を制限するために、前記外蓋上で相補的な第２の手段と係合自在である少なくとも１つの第１の手段を備えることを特徴とする請求項１５記載の手動ポンプ式噴霧器。
【請求項２５】
前記プランジャヘッドは、前記側壁の外面上に少なくとも１つの溝を備え、前記溝は、所定の長さを有し、および前記プランジャヘッドに関して前記外蓋の回転を制限するために、前記外蓋の前記側壁の内面上で相補的な隆起部と係合自在であることを特徴とする請求項１５記載の手動ポンプ式噴霧器。
【請求項２６】
前記プランジャヘッドと前記外蓋の一方は、前記側壁上に少なくとも１つの溝を備え、前記溝は、前記プランジャヘッド上に前記外蓋を装着できるように、前記プランジャヘッドと前記外蓋の他方の前記側壁上で相補的な隆起部と係合自在であることを特徴とする請求項１５記載の手動ポンプ式噴霧器。
【請求項２７】
前記プランジャヘッドと前記外蓋の一方は、前記側壁上に少なくとも１つの溝を備え、前記溝は、所定の長さを有し、かつ前記プランジャヘッドに関して前記外蓋の回転を制限するために、前記プランジャヘッドと前記外蓋の他方の前記側壁上で相補的な隆起部と係合自在であることを特徴とする請求項１５記載の手動ポンプ式噴霧器。
【請求項２８】
前記プランジャヘッドは、前記側壁の外面上に少なくとも１つの溝を備え、前記溝は、所定の長さを有し、かつ前記プランジャヘッドに関して前記外蓋の回転を制限するために、前記外蓋の前記側壁の内面上で相補的な隆起部と係合自在であり、前記溝は第１と第２の端部をさらに有し、前記隆起部が前記第１の端部に押付けられるときに前記噴出オリフィスが前記非使用状態で配設され、かつ前記隆起部が前記第２の端部に押付けられるときに前記噴出オリフィスが前記使用状態で配設されることを特徴とする請求項１５記載の手動ポンプ式噴霧器。
【発明の詳細な説明】
【技術分野】
【０００１】
本発明は、一般に手動ポンプ式噴霧器、特に、噴流オリフィスにおける製品の乾燥による噴出オリフィスの閉塞を防止する手段と、およびプランジャの往復動を妨げるためにプランジャヘッドを係止する手段とを有するような噴霧器に関するものである。
【背景技術】
【０００２】
一般的型式の従来技術のポンプは、オリフィスカップの外側からオリフィス開口部中に突出する小さい突出部を設けるような何らかの型式の閉塞防止手段を有するものが知られている。この突出部は、閉じられたオリフィスを封止するために、かつオリフィスカップの外面に蓄積することがある蓄積された乾燥製品を砕くために、プランジャヘッドに重なり、かつプランジャヘッドに関して移行自在なカバー上に設けられる。
【０００３】
代わりに、噴出ノズル自体は、汚染に対して保護するために、かつ噴出オリフィスにおける乾燥した製品の蓄積を防止するために、整合から外れて噴出通路から回動自在にできる。幾つかの場合、噴出開口部が噴出オリフィスと整合すると製品の噴出を可能にする噴出開口部を有するカバーを設けることができる。開示が参照としてここに組込まれる特許文献１および特許文献２は、そのような関連技術の例である。
【０００４】
噴出オリフィスの閉塞を防止する他の解決策には、たとえば、開示が参照としてここに組込まれる特許文献３に示されるように、ポンプヘッドが所定の配向まで回転すると、噴出オリフィスと対面する閉塞防止部材の組込みが含まれる。その上さらに、開示が参照としてここに組込まれる特許文献４に記載されるように、プランジャヘッドを、上方位置において係止するように回転できるので、プランジャヘッドが係止されること、および噴出オリフィスが相補的なカバーと係合することの二重作用により製品の小出しが妨げられる。
【０００５】
しかしながら、オリフィス閉塞を防止するこれらの解決策は、それらの欠点無しには実施されない。たとえば、閉塞防止の目的のためにオリフィスカップの外面からオリフィス中に突出部などを延ばすと、時間の経過と共にオリフィスを歪ませるので、オリフィスを通しての噴霧の特性に悪影響を与えるであろう。また繰返し使用後のカバー上の突出部は、その突出部が、非使用状態のオリフィスとの軸方向の整合から外れるように非使用状態のオリフィスを行き過ぎまたはそれに達しないので、閉塞防止機能を無効にするであろう。
【０００６】
回動自在の噴出ノズルを利用する解決策は、ノズルが、その繰返し回動後に損傷する恐れがある点、および汚染物の存在が、時間の経過と共に回動機能をさらに劣化する恐れがある点において欠点を有する。最後に、別個の封止部材を使用するか、またはプランジャヘッドの係止を実現する解決策は、既存の構造では、作動が難しく、かつ製品の寿命のために噴出オリフィスを適切に封止するのに不可欠な繰返し性を提供できない点で大きい欠点を有する。
【０００７】
【特許文献１】米国特許第５，２０３，８４１号明細書
【特許文献２】米国特許第５，０２７，９８２号明細書
【特許文献３】米国特許第５，９１８，７７４号明細書
【特許文献４】米国特許第３，４７４，９３９号明細書
【発明の開示】
【発明が解決しようとする課題】
【０００８】
したがって、噴出組立体と噴出される製品との寿命を通して閉塞防止機能が繰返し自在にかつ予測自在に機能するように、噴流オリフィスにおける製品の乾燥による噴出オリフィスの閉塞を防止する手段と、およびプランジャの往復動を妨げるためにプランジャヘッドを係止する手段とを組合せて有する手動ポンプ式噴霧器を提供するのが有利であろう。構造が堅固であり、作動が効果的であり、組立と分解が簡単であり、かつ製造が経済的に実施可能である、噴出オリフィスの閉塞を防止する手段のニーズも依然存在する。
【課題を解決するための手段】
【０００９】
本発明は、噴流オリフィスにおける製品の乾燥による噴出オリフィスの閉塞を防止する手段と、およびプランジャの往復動を妨げるためにプランジャヘッドを係止する手段とを備える手動ポンプ式噴霧器を提供することにより、従来技術の閉塞防止プランジャヘッド構造の問題を解決し、かつその構造の欠点と欠陥を克服する。
【００１０】
かくして本発明は、ポンプが作動すると噴霧される液体の容器上に取付けられるようになっている手動ポンプ式噴霧器を提供する。ポンプ式噴霧器は、噴出オリフィスを内蔵する側壁を有するプランジャヘッドを備えることができる。プランジャヘッドは、バネにより付与される所定の付勢力に抗してポンプ式噴霧器のほぼ縦方向の軸に沿って往復動自在にできる。外蓋を、プランジャヘッド上に配設し、かつプランジャヘッドに関して独自に回転自在にできる。外蓋は、非使用状態において噴出オリフィスに重なる側壁を備えることができる。側壁は、プランジャヘッドに関して外蓋が回転すると噴出オリフィスと整合するように配設自在な開口部を有することができる。プランジャヘッドと外蓋を容器へ装着する容器閉止部を設けることができるので、プランジャヘッドを、第１の配向位置にあるときに容器閉止部に関して軸方向に往復動自在でき、かつ第２の配向位置にあるときに容器閉止部に関して軸方向に抑止できる。
【００１１】
上述のポンプ式噴霧器の場合、プランジャヘッドは、側壁の内面に配設される少なくとも１つの隆起部を備えることができるので、隆起部は、プランジャヘッドを容器閉止部に関して軸方向に往復動させるため、第１の配向位置にあるときに容器閉止部上の相補的なスロット内で配設自在にできる。プランジャヘッドは、側壁の内面に配設される少なくとも１つの隆起部をさらに備えることができるので、隆起部は、容器閉止部に関してプランジャヘッドの軸方向の往復動を妨げるため、第２の配向位置にあるときに容器閉止部上の回り止めに対して隣接して配設自在にできる。回り止めは、プランジャヘッドが第１の配向位置から第２の配向位置まで回転されるときに、隆起部が上面を滑動し、かつプランジャヘッドを容器閉止部から離すように軸方向に移行して容器閉止部に関してプランジャヘッドの軸方向の往復動を妨げるような傾斜した上面を備えることができる。容器閉止部は、凹状受け部材を備えることができ、その部材中に隆起部がスナップ嵌めして、プランジャヘッドを容器閉止部に関して係止する。
【００１２】
上述のポンプ式噴霧器の場合、プランジャヘッドは、プランジャヘッドを容器閉止部に関して軸方向に往復動させるため、第１の配向位置にあるときに容器閉止部に関して移動自在な少なくとも１つの係合手段を備えることができる。プランジャヘッドは、容器閉止部に関してプランジャヘッドの軸方向の往復動を妨げるため、第２の配向位置にあるときに容器閉止部に関して抑止自在な少なくとも１つの係合手段をさらに備えることができる。その上さらに、プランジャヘッドは、プランジャヘッド上に外蓋を装着できるように、外蓋上で相補的な第２の手段と係合自在な少なくとも１つの第１の手段を備えることができる。プランジャヘッドは、プランジャヘッドに関して外蓋の回転を制限するために、外蓋上で相補的な第２の手段と係合自在である少なくとも１つの第１の手段を備えることができる。
【００１３】
上述のポンプ式噴霧器の場合、プランジャヘッドは、側壁の外面上に少なくとも１つの溝を備えることができるので、溝は、プランジャヘッド上に外蓋を装着できるように、外蓋の側壁の内面上で相補的な隆起部と係合自在にできる。プランジャヘッドは、側壁の外面上に少なくとも１つの溝をさらに備えることができるので、溝は、所定の長さを有し、かつプランジャヘッドに関して外蓋の回転を制限するために、外蓋の側壁の内面上で相補的な隆起部と係合自在にできる。
【００１４】
上述のポンプ式噴霧器の他の実施例において、プランジャヘッドと外蓋の一方は、側壁上に少なくとも１つの溝を備えることができ、溝は、プランジャヘッド上に外蓋を装着できるように、プランジャヘッドと外蓋の他方の側壁上で相補的な隆起部と係合自在である。さらに、プランジャヘッドと外蓋の一方は、側壁上に少なくとも１つの溝を備えることができ、溝は、所定の長さを有し、およびプランジャヘッドに関して外蓋の回転を制限するために、プランジャヘッドと外蓋の他方の側壁上で相補的な隆起部と係合自在である。その上さらに、プランジャヘッドは、側壁の外面上に少なくとも１つの溝を備えることができ、溝は、所定の長さを有し、かつプランジャヘッドに関して外蓋の回転を制限するために、外蓋の側壁の内面上で相補的な隆起部と係合自在であり、溝は第１と第２の端部をさらに有するので、隆起部が第１の端部に押付けられるときに噴出オリフィスが非使用状態で配設され、かつ隆起部が第２の端部に押付けられるときに噴出オリフィスが開口部と整合する。
【００１５】
本発明は、噴出オリフィスを有し、かつポンプ式噴霧器に関して往復動自在であるプランジャヘッドを備える手動ポンプ式噴霧器をその上さらに提供する。外蓋は、プランジャヘッド上に配設でき、かつプランジャヘッドに関して回転自在にでき、非使用状態で噴出オリフィスに重なることができ、かつ使用状態で噴出オリフィス整合するように配設自在な開口部を備えることができる。プランジャヘッドと外蓋を容器へ装着する容器閉止部を設けることができる。プランジャヘッドは、第１の配向位置にあるときに容器閉止部に関して軸方向に往復動自在にでき、かつ第２の配向位置にあるときに容器閉止部に関して軸方向に抑止自在にできる。
【００１６】
本発明の別の特徴、利点および実施例は、後述の詳細な説明と図面、および前述の特許請求の範囲において説明されるか、またはそれらを検討すれば明らかになる。さらに、本発明の上述の開示と後述の詳細な説明は、代表例であり、請求される本発明の範囲を制限することなくさらに説明しようとするものであることが分かる。
【発明を実施するための最良の形態】
【００１７】
本発明をさらに理解するように含まれ、および本明細書に組込まれ、かつその一部を構成する添付図面は、本発明の好ましい実施例を図示し、かつ詳細な説明と共に、本発明の原理を説明するのに役立つ。
【００１８】
図面中において同様な参照番号が幾つかの図を通して対応する部材を表示する図面をここで参照すると、図１乃至５は、一般に１０で表示される、本発明に従う手動ポンプ式噴霧器を図示する。
【００１９】
図１乃至５に示されるように、本発明のポンプ式噴霧器１０は、予備圧縮型式のものであり、かつ米国特許第５，７８５，２０８号、第６，１５８，６２５号、第６，２２３，９５１号、と第６，２５７，４５１号に開示される噴霧器と同様な特徴と部材を備え、それらの特許は、本発明と共に共通して所有され、かつそれらの特許のそれぞれの開示は、参照として全体で組込まれる。図示されるように、ポンプ式噴霧器１０には、プランジャヘッド１４へ機能的に接続される外蓋１２を一般に備えることができ、そのプランジャヘッド１４は、バネで付勢され、かつ容器（図示せず）内の液体製品を噴出するために、容器閉止部１６に関して軸方向に往復動自在である。この技術分野において知られているように、浸漬チューブ（図示せず）を容器内に配設でき、かつそのチューブは、プランジャヘッド１４の空洞１９中にスナップ嵌めされる拡大先端部１８を有する軸方向に往復動自在なプランジャロッド１７へ機能的に接続される。上述の米国特許に詳細に記載されるように、一般に噴霧器１０は、軸方向に往復動自在なポンプピストン（図示せず）を受容するポンプシリンダ（図示せず）を備えることができ、そのピストンが、プランジャロッド１７の底部上に取付けられて、プランジャヘッド１４とプランジャロッド１７と共に軸方向に往復動すると、容器の内容物を、浸漬チューブを経て噴出する。ポンプシリンダは、上述の米国特許に詳細に記載されるように、容器閉止部１６にスナップ嵌めされるか、または別のやり方でそれに取付けることができる。
【００２０】
図２と３を参照すると、外蓋１２は、プランジャプランジャ１４の噴出オリフィス２２と整合し、かつ整合が外れるように回転自在なオリフィス２０を備えることができる。図２に示されるように、壁２４の外面は、壁３４の内面に形成される隆起部３０と３２とにそれぞれ係合するように配設されるほぼ水平の溝２６と２８を備えることができる。図示される代表的な実施例において、底溝２８は、プランジャヘッド１４の周辺の周りに延びることができるので、周辺に延びる隆起部３２の手段により外蓋１２のプランジャヘッド１４上へのスナップ嵌めを容易にし、さらにプランジャヘッド１４に関して外蓋１２の回転を案内できる。上部溝２６は、プランジャヘッド１４に関して外蓋１２の回転の程度を限定するために、所定の円弧長さのものに形成できる。図２、４および５に示されるように、上部溝２６は、点Ａから点Ｂまでほぼ延びることができ、かつそこに配設される所定の長さの隆起部３０を含むことができるので、点Ｂから点Ａまでの外蓋１２の回転により、図示される反時計方向にプランジャヘッド１４が回転でき、かつオリフィス２０と２２が整合し、また点Ａから点Ｂまでの外蓋１２の回転により、オリフィス２０と２２の整合が外れ、かつ図示される時計方向にプランジャヘッド１４の別の回転ができる。当業者は、この開示に鑑みて、溝２６と２８および隆起部３０と３２の数、位置および寸法を、本発明の範囲から逸脱することなく、プランジャヘッド１４と外蓋１２の対応する周辺の周りに必要に応じて変えることができるのが分かるであろう。
【００２１】
図３に示されるようにオリフィス２０と２２を整合した状態で、米国特許第５，７８５，２０８号、第６，１５８，６２５号、第６，２２３，９５１号、と第６，２５７，４５１号に詳細に説明されるように、プランジャヘッド１４は、軸方向に往復動して、プランジャロッド１７を通して容器（図示せず）内の製品を噴出できる。プランジャヘッド１４の軸方向の往復動を妨げるために、ヘッド４は、対称的に配設される回り止め４０の上面３８と係合自在な複数の隆起部３６を備えることができる。一方、プランジャヘッド１４が反時計方向に回転すると、隆起部３６を、相補的なスロット４２と軸方向に整合するように配設できるので、プランジャヘッド１４の軸方向の往復動ができる。
【００２２】
具体的には、図示される実施例において、プランジャヘッド１４が外蓋１２を経て反時計方向に回転すると、隆起部３６がスロット４２と整合するので、ヘッド１４が軸方向に00往復動すると、容器内の製品を整合されたオリフィス２０と２２を通して噴出できる。隆起部３６がスロット４２内に配設されるときに、隆起部３６の反時計方向のさらなる回転を、それぞれの隆起部３６の側壁の受け部４６の壁４４との係合により、妨げることができる。その後に噴出外蓋１２を時計方向に回転すると、プランジャヘッド１４に関して外蓋１２を先ず回転できるので、隆起部３０が点Ａから点Ｂまで移行し、かつ図２に示されるようにオリフィス２０と２２との整合が外れた構成で配設されて、オリフィス２０と２２の内側と外側の部位に置かれる製品のさらなる乾燥が防止される。隆起部３０が、溝２６の側面Ｂと接触するように回転されるときにプランジャヘッド１４に関して外蓋１２がさらに回転すると、隆起部３６の反対側の側壁が受け部４６の壁５０と接触するまで、隆起部３６の底面４８が回り止め４０の傾斜した上面３８上を滑動する。上面３８を、プランジャヘッド１４の軸方向動きにおける遊びを無くすように傾斜させることができるので、ヘッドは、その最大の時計方向係止位置まで回転されると、容器閉止部１６に関して固定配設される。その係止位置において、隆起部３６の側壁が受け部４６の壁５０と接触すると同時に、リング５６の外側環状壁５４と抵抗嵌め係合するように配設される隆起部３６の内壁５２で、隆起部３６は、閉止部１６の中心軸に近接して半径方向に配設された、環状壁５４と反対側にある受け部材５８とスナップ係合する。図示される実施例において、２つの対向する受け部材５８を設けることができるが、同様な受け部材５８をそれぞれの受け部４６に隣接して対称的に設けてもよい。
【００２３】
ポンプ式噴霧器１０の作動を、ここで詳細に説明する。
【００２４】
オリフィス２０と２２の整合が外れるように外蓋１２とプランジャヘッド１４が図２の構成で配設された作動に際して、オリフィス２０と２２が図３に示されるように整合されるまで、かつ隆起部３６が、プランジャヘッド１４の軸方向往復動をさせるように相補的スロット４２と軸方向に係合して配設されるまで、図２の実施例における反時計方向にプランジャヘッド１４に関して外蓋１２を回転することにより、製品を小出しする作動状態に噴霧器１０をすることができる。この構成において噴霧器１０を、整合されたオリフィス２０と２２を通して製品を小出しするように必要に応じて作動できる。
【００２５】
オリフィス２２の内側と外側の部位に置かれる製品のさらなる乾燥を防止するようにオリフィス２２を覆うために、オリフィス２０と２２の整合が外され、かつ同時に隆起部３０が溝２６内を点Ａから点Ｂまで移行するように、外蓋１２を、プランジャヘッド１４に関して時計方向に回転できる。
【００２６】
最後に、閉止部１６に関してプランジャヘッド１４を係止するために（すなわち、ヘッド１４の軸方向往復動を妨げるために）、隆起部３６が受け部材５８中にスナップ嵌めされるように、ヘッド１４を、外蓋１２を経て時計方向にさらに回転することができる。
【００２７】
上述のことから、単純かつ経済的で、しかも極めて有効な閉塞防止器具が手動ポンプ式噴霧器用に発明されたことが分かり、その噴霧器において外蓋を、非使用位置において閉じられた噴出オリフィスを確実に封止するように回転できる。その上さらにポンプ式噴霧器を、容器閉止部に関してプランジャヘッドの軸方向往復動が妨げられるように、出荷のためにかつ移送中に係止できる。
【００２８】
上述のように、ポンプ式噴霧器１０に対して種々の変更態様を、本発明の範囲から逸脱することなく実施できる。たとえば、回り止め４０およびその付随する構成部材を、閉止部１６上に非対称的にまたは対称的に（図示されるように）配設できる。または閉止部１６上に配設される代わりに、回り止め４０およびその付随する構成部材を、プランジャヘッド１４の内壁に配設することができ、隆起部３６が閉止部１６上に回り止め４０の代わりに配設される。さらに溝２６と２８および隆起部３０と３２を、図２に図示されるほぼ水平配向状態の代わりに斜め配向状態で配設でき、その場合に外蓋１２は、プランジャヘッド１４に関して上方へ移行して、オリフィス２０と２２を整合するか、またはそれらの整合を外すことができる。溝２６と２８および隆起部３０と３２を、図２に図示されるようにプランジャヘッド１４と外蓋１２上にそれぞれ配設される代わりに、外蓋１２とプランジャヘッド１４上にそれぞれ配設することもできる。
【００２９】
本発明の特定の実施例を、添付図面を参照してここで詳細に説明してきたが、本発明は、これらの特定の実施例に限定されないこと、および種々の変形態様と変更態様を、付随する特許請求の範囲において明示される本発明の精神と範囲から逸脱することなく、当業者により実施できることが分かる。
【図面の簡単な説明】
【００３０】
【図１】本発明に係る手動ポンプ式噴霧器用の外蓋とプランジャヘッドの斜視図である。
【図２】図１の外蓋とプランジャヘッドの破断図であり、プランジャヘッドに関しての外蓋の回転を限定できる内部機能を示す図である。
【図３】図１のポンプ式噴霧器の破断図であり、プランジャヘッドに関しての外蓋の回転を限定でき、かつ容器閉止部に関して外蓋とプランジャヘッドの組立体を係止する内部機能を図示するものである。
【図４】図２の４−４線上の図１の外蓋とプランジャヘッドの部分断面図であり、外蓋の第1の方向における回転移動を限定する外蓋隆起部を示す図示である。
【図５】図２の５−５線上の図１の外蓋とプランジャヘッドの別の部分断面図であり、外蓋の第２の方向における回転移動を限定する外蓋隆起部を示す図である。
【符号の説明】
【００３１】
１０  ポンプ式噴霧器
１２  外蓋
１４  プランジャヘッド
１６  容器閉止部
２０，２２  オリフィス
【図１】
2005230800.tif 000003
【図２】
2005230800.tif 000004
【図３】
2005230800.tif 000005
【図４】
2005230800.tif 000006
【図５】
2005230800.tif 000007
【外国語明細書】
2005230800000001.pdf